(57)【要約】      （修正有）【課題】極めて簡単かつ容易な構造で、取扱が非常に容易で手軽に調理することができ、かつ風情のある卓上七輪を提供する。【解決手段】上方が開放された中央凹部１２と通気孔１６が形成された側壁部１５を有する土製の七輪本体部１１と、七輪本体部の中央凹部に配設された電気ヒーター部２１を有する加熱部２０と、七輪本体部の中央凹部内に電気ヒーター部を水平に固定保持するヒータ固定部と、加熱部の下方に配置された金属製受け皿部４０とからなる。【選択図】図２
0003118713.tif 000002
【実用新案登録請求の範囲】
【請求項１】
上方が開放された中央凹部（１２）と通気孔（１６）が形成された側壁部（１５）を有する土製の七輪本体部（１１）と、
前記七輪本体部の中央凹部に配設された電気ヒーター部（２１）を有する加熱部（２０）と、
前記七輪本体部の中央凹部内に前記電気ヒーター部を水平に固定保持するヒータ固定部（３０）と、
前記加熱部の下方に配置された金属製受け皿部（４０）
とからなることを特徴とする卓上七輪（１０）。
【請求項２】
前記ヒータ固定部が前記中央凹部に交差状に配設された２本の細棒状部材（３１、３２）よりなり、前記各細棒状部材は両端部（３１ｅ，３１ｅ，３２ｅ，３２ｅ）を前記側壁部上面の保持穴部（１７）に挿入されて保持されており、かつ前記電気ヒータ部は前記細棒状部材上面に固定金具（３５）を介して固定されている請求項１に記載の卓上七輪。
【請求項３】
前記金属製受け皿部が前記中央凹部の内底面（１３）に突設された突部（１４）を介して水平に載置されている請求項１又は２に記載の卓上七輪。
【考案の詳細な説明】
【技術分野】
【０００１】
本考案は、電気ヒータ部を有する卓上七輪に関する。
【背景技術】
【０００２】
従来から用いられてきた調理用具の一つに七輪があるが、通常七輪は炭火を熱源としている。ガス器具などを使用する場合とは異なり、炭火を用いて調理をしながら食することで、風情を楽しむことができ、また、炭火の遠赤外線の効果により食材に含まれるグルタミン酸が増加するので食材の旨みが増大するといわれている。
【０００３】
しかしながら、炭火の取り扱いは容易ではなく、炭に着火をして調理をし終えるまでには、長い時間が必要である。その上、調理後の炭を水で消火する場合は、消火後に炭を完全に乾燥させなければならず、また、火消し壷などを用いる場合には、炭を消火するのに長時間を要するなど後始末が大変面倒である。
【０００４】
一方、長い時間を掛けて炭に着火をして調理をしても、食材を高温で焼きすぎて固くしてしまったり、さらには焦がして食べることができない状態にしてしまうこともあり、炭火に慣れていない者が調理をするのは、困難である。加えて、炭火で調理をすると、一酸化炭素が発生するので、密室で使用する場合などには必ず換気を行う必要があり、極めて煩雑であった。
【考案の開示】
【考案が解決しようとする課題】
【０００５】
従って、本考案は、前記の問題点を鑑みてなされたものであり、極めて簡単かつ容易な構造で、取扱が非常に容易で手軽に調理することができ、かつ風情のある卓上七輪を提供するものである。
【課題を解決するための手段】
【０００６】
すなわち、請求項１の考案は、上方が開放された中央凹部（１２）と通気孔（１６）が形成された側壁部（１５）を有する土製の七輪本体部（１１）と、前記七輪本体部の中央凹部に配設された電気ヒーター部（２１）を有する加熱部（２０）と、前記七輪本体部の中央凹部内に前記電気ヒーター部を水平に固定保持するヒータ固定部（３０）と、前記加熱部の下方に配置された金属製受け皿部（４０）とからなることを特徴とする卓上七輪（１０）に係る。
【０００７】
請求項２の考案は、前記ヒータ固定部が前記中央凹部に交差状に配設された２本の細棒状部材（３１、３２）よりなり、前記各細棒状部材は両端部（３１ｅ，３１ｅ，３２ｅ，３２ｅ）を前記側壁部上面の保持穴部（１７）に挿入されて保持されており、かつ前記電気ヒータ部は前記細棒状部材上面に固定金具（３５）を介して固定されている請求項１に記載の卓上七輪に係る。
【０００８】
請求項３の考案は、前記金属製受け皿部が前記中央凹部の内底面（１３）に突設された突部（１４）を介して水平に載置されている請求項１又は２に記載の卓上七輪に係る。
【考案の効果】
【０００９】
請求項１の考案に係る卓上七輪は、上方が開放された中央凹部と通気孔が形成された側壁部を有する土製の七輪本体部と、前記七輪本体部の中央凹部に配設された電気ヒーター部を有する加熱部と、前記七輪本体部の中央凹部内に前記電気ヒーター部を水平に固定保持するヒータ固定部と、前記加熱部の下方に配置された金属製受け皿部とからなるので、取り扱いが極めて容易であって、風情を楽しみながら手軽に調理をすることができる。
【００１０】
請求項２の考案にあっては、請求項１に記載の卓上七輪において、前記ヒータ固定部が前記中央凹部に交差状に配設された２本の細棒状部材よりなり、前記各細棒状部材は両端部を前記側壁部上面の保持穴部に挿入されて保持されており、かつ前記電気ヒータ部は前記細棒状部材上面に固定金具を介して固定されているので、前記電気ヒータ部を確実に固定し、安定させることができる。また、前記七輪本体部から加熱部を自由に着脱させることが可能である。
【００１１】
請求項３の考案にあっては、請求項１又は２に記載の卓上七輪において、前記金属製受け皿部が前記中央凹部の内底面に突設された突部を介して水平に載置されているので、金属製受け皿部を確実に保持することができ、前記中央凹部から前記受け皿部を極めて容易に取り出すことが可能である。
【考案を実施するための最良の形態】
【００１２】
以下添付の図面に従って、この考案を詳細に説明する。図１は本考案の一実施例を示す全体斜視図、図２は七輪本体部に加熱部を配設する状態を示す概略図、図３はヒータ固定部の拡大断面図、図４は金属製受け皿が突部に載置された状態を示す断面図である。
【００１３】
請求項１の考案として規定し、図１に示すように、卓上七輪１０は上方が開放された中央凹部１２と通気孔１６が形成された側壁部１５を有する土製の七輪本体部１１と、前記七輪本体部の中央凹部に配設された電気ヒーター部２１を有する加熱部２０と、前記七輪本体部の中央凹部内に前記電気ヒーター部を水平に固定保持するヒータ固定部３０と、前記加熱部の下方に配置された金属製受け皿部４０とからなることを特徴とする。
【００１４】
七輪本体部１１は土製であり、上方が開放された中央凹部１２と通気孔１６が形成された側壁部１５を有している。本体部１１は土製であるので、金属製の卓上コンロ等とは異なり、極めて風情があり、味覚だけでなく視覚でも楽しむことができる。七輪本体部１１は、例えば、素焼きなどの陶器でもよく、特に、耐火性及び断熱性に優れた珪藻土製とすることが好ましい。熱を本体側壁部から外部に放熱しにくいので熱効率が高い。また、多少のひびが生じた場合でも、そのまま繰り返し使用することができる。
【００１５】
七輪本体部１１を珪藻土製とする場合は、珪藻土を四角や丸い形で坑道から切出して、所望の形状に削りだしたり、珪藻土を粉砕して金型で押し固めて成形後に焼成するなど公知の手法により作製することができる。なお、前記本体部の形状及び大きさは特に限定はなく、丸形、四角形などどのような形状でもよい。卓上用の七輪であり、適宜使用場所に応じた大きさを選択することができる。
【００１６】
中央凹部１２内には、加熱部２０及び金属製受け皿部４０が配設されるため、適宜の大きさが必要である。また、七輪１０を使用する際には、中央凹部１２を覆うように公知の金網を本体上部に載置し、その金網上で食材を焼いたり、小鍋を置いて煮たりなどの調理をすることができる。なお、通気孔１６は七輪本体部１１が異常加熱するのを防ぐため等に設けており、形状、数などは特に限られず、適宜形成される。
【００１７】
加熱部２０は電気ヒータ部２１を有し、前記七輪本体部１１の中央凹部１２に配設されている。電気ヒータ部より加熱して調理するので、電源操作部２２のスイッチを操作するだけで、極めて簡単に調理することが可能である。炭を用いて調理する場合には、炭に着火をして調理するまでに時間がかかり、調理終了後は炭火を完全に消火させ、炭を乾燥させなければならないなど、準備や後片づけが非常に面倒であった。しかしながら、電気ヒータを使用することで、調理の途中で一時的に加熱を止めることなども可能であり、安全で極めて手軽に調理をすることができる。
【００１８】
電気ヒータ部２１は、七輪本体部の中央凹部内にヒータ固定部３０により水平に保持されている。前記ヒータ部が水平に安定して保持されているので、七輪本体上部に載置した金網上の食材や調理器具は、均一に加熱されることができる。また、電気ヒータ部２１は、七輪本体部の中央凹部１２内に保持されているので、ヒータ部が七輪本体から露出することがなく、外観上極めて優れている。
【００１９】
請求項２の考案として規定し、図２に示すように、前記ヒータ固定部３０は、前記中央凹部に交差状に配設された２本の細棒状部材３１，３２よりなる。また、前記各細棒状部材は両端部３１ｅ，３１ｅ，３２ｅ，３２ｅを前記側壁部上面の保持穴部１７に挿入されて保持されており、かつ前記電気ヒータ部は前記細棒状部材上面に固定金具３５を介して固定されている。
【００２０】
ヒータ固定部３０は、２本の細棒状部材３１，３２よりなっているので、電気ヒータの熱を遮断してしまうおそれがほとんどない。また前記細棒状部材は、中央凹部１２に交差状に配設されているので、電気ヒータを保持するのに過度の負荷が掛かるようなこともなく、電気ヒータを確実に保持することができる。前記細棒状部材の材質は、特に限定されず、ある程度の強度を有するステンレス製のワイヤーなどを用いることができる。
【００２１】
前記細棒状部材３１の両端部３１ｅ，３１ｅ及び、細棒状部材３２の両端部３２ｅ，３２ｅは、それぞれ前記側壁部上面１８の保持穴部１７に挿入されて保持されている。そのため、加熱部２０は七輪本体部１１への脱着が自在であり、卓上七輪の使用後に本体内部や加熱部を掃除することも極めて容易であり、衛生的である。さらに、前記細棒状部材の両端部が保持穴部に挿入され、確実に固定されているので、調理中に七輪本体を動かして揺れたりするようなことがあっても、加熱部がずれて傾くことがなく安全である。なお、前記保持穴部は、七輪本体部の側壁部上面に直接に穴部を形成させてもよいし、樹脂製等の保持穴部を別途作製して、本体部の側壁部上面に埋め込むように形成してもよい。
【００２２】
電気ヒータ部２１の固定方法について、棒状部材３１を用いて説明すると、図３に示すように、前記細棒状部材上面に固定金具３５を介して棒状部材３１に固定されている。この前記固定金具と棒状部材は、スポット溶接などの公知の手法により固定することができる。前記ヒータ部には、部分的に固定金具を被せるので、電気ヒータの熱効率に影響を及ぼすこともほとんどない。棒状部材３２についても、同様である。実施例では、固定金具を４箇所用いて前記ヒータ部を固定しており、水平に確実に固定することができる。固定金具の数やヒータ部への固定箇所、固定方法は所望により選択することができる。
【００２３】
金属製受け皿部４０は、加熱部２０の下方に配置されている。前記受け皿部は、請求項３に規定し、図４に示すように、前記中央凹部１２の内底面１３に突設された突部１４を介して水平に載置されている。前記突部は七輪本体部１１と一体的に成形されてもよいし、後から突部のみ形成されてもよい。前記突部は、七輪本体部の内底面に複数箇所設ける必要があるが、前記受け皿部を水平に保持できれば、２箇所又は３箇所若しくはそれ以上設けてもよく、形状及び大きさについても特に限定されない。
【００２４】
前記受け皿部が水平に保持されることで、調理中に金網を通過して落下してくる食材の一部や脂分などは、ほとんど前記皿部上に受けることができる。そのため、特に、食品の脂分が液体の状態のときに、受け皿からこぼれて七輪本体部の底部に染み込んでしまい、汚れや臭いが取れなくなるようなおそれがない。なお、前記受け皿を持ち易くするために、実施例のように、前記受け皿部の中央部に支持部４１を設けてもよい。
【００２５】
また、金属製受け皿部４０は電気ヒータ部２１による熱を反射することで、調理の効率が一層向上する。また、七輪本体部１１が異常に加熱するのを防止することもできる。前記受け皿部の材質は金属製であれば、特に限定はなく、実施例では軽量で取り扱いやすいアルミニウムを用いている。
【図面の簡単な説明】
【００２６】
【図１】本考案の一実施例を示す全体斜視図である。
【図２】七輪本体部に加熱部を配設する状態を示す概略図である。
【図３】ヒータ固定部の拡大断面図である。
【図４】金属製受け皿が突部に載置された状態を示す断面図である。
【符号の説明】
【００２７】
１０  卓上七輪
１１  七輪本体部
１２  中央凹部
１３  内底面
１４  突部
１５  側壁部
１６  通気孔
１７  保持穴部
２０  加熱部
２１  電気ヒータ部
３０  ヒータ固定部
３１，３２  細棒状部材
３１ｅ，３２ｅ  端部
３５  固定金具
４０  金属製受け皿部
【図１】
0003118713.tif 000003
【図２】
0003118713.tif 000004
【図３】
0003118713.tif 000005
【図４】
0003118713.tif 000006